(57)【要約】本発明は、イメージ分析に基づいた骨髄判読支援装置に関するものである。本発明によるイメージ分析に基づいた骨髄判読支援装置は、骨髄判読対象者の骨髄イメージを撮像装置で獲得するイメージ獲得部と、前記獲得された骨髄イメージを、既設定された鑑別係数による複数のクラスのうちの何れか一つのクラスに分類させる鑑別係数部と、及び前記鑑別係数部によって判読された結果を提供する結果提供部と、を含んでなされることを特徴とする。【選択図】図１
2021532856.tif 000002
【特許請求の範囲】
【請求項１】
骨髄判読対象骨髄のイメージを撮像装置で獲得するイメージ獲得部と、
前記獲得された骨髄イメージを、イメージプロセッシング及びソフトウェア制御によって必要イメージに生成し、既設定されたアルゴリズムによって鑑別係数に含まれる複数のクラスのうちの何れか一つのクラスに分類させる鑑別係数部と、及び
前記必要イメージと前記鑑別係数部によって鑑別された結果を提供する結果提供部と、を含んでなされることを特徴とするイメージ分析に基づいた骨髄判読支援装置。
【請求項２】
前記必要イメージは、前記骨髄イメージ画面で周辺の他のパーティクルより大きいサイズを有する巨大パーティクルであることを特徴とする請求項１に記載のイメージ分析に基づいた骨髄判読支援装置。
【請求項３】
前記必要イメージは、前記巨大パーティクル及び前記巨大パーティクルを前後の関心ゾーン内に存在する巨核細胞を含む映像であることを特徴とする請求項２に記載のイメージ分析に基づいた骨髄判読支援装置。
【請求項４】
前記結果提供部は、前記必要イメージとその必要イメージが属するクラスに該当する鑑別係数を共に提供することを特徴とする請求項３に記載のイメージ分析に基づいた骨髄判読支援装置。
【請求項５】
前記既設定された鑑別係数によってクラス別で分類された複数の骨髄イメージが保存されているデータベース部と、をさらに含んで、
前記結果提供部は、前記鑑別係数部によって分析されたデータと前記データベース部に保存されたデータを共に提供することを特徴とする請求項１に記載のイメージ分析に基づいた骨髄判読支援装置。
【発明の詳細な説明】
【技術分野】
【０００１】
本発明は、骨髄判読支援装置に関するものであり、より詳細には、骨髄判読に利用するイメージを提供し、骨髄細胞を種類別でお互いに異なるクラスで分類して鑑別係数を提供することで骨髄判読を効率的で容易に遂行できるようにするイメージ分析に基づいた骨髄判読支援装置に関するものである。
【背景技術】
【０００２】
骨髄検査は造血器官である骨髄を採取して実施する診断検査方法の一つである。このような骨髄検査はさまざまな血液疾患の診断、治療後追跡検査のためだけでなく、各種癌の骨髄の遷移如何判断、結核など肉芽腫性疾患の侵犯如何などを判断するために遂行される。
【０００３】
診断血液専門医は骨髄検査判読のために染め付けされた骨髄塗抹標本と骨髄生検組織切片を顕微鏡で観察して骨髄細胞の鑑別係数を総合して診断する。そして、必要な場合には多くの種類の特殊染め付けされた塗抹スライドや免疫染め付けされた生検組織切片スライドを観察して総合的に診断しなければならない。このような作業は多くの経験と知識が必要なものであり、高配率でスライドの多くの部位を観察しなければならないし、観察医が多くの時間を割かなければならないので目の疲れがひどく伴う業務である。
【０００４】
また、判読し難い場合には他の専門家の意見を問うことが必要であるが、現在は骨髄スライドを包装して郵便や宅配で送って、これを受けた所から再び顕微鏡で観察し、その結果を有線や紙面で送ってくれてスライドを返すことをしなければならない煩わしさがある。このような煩わしさと多くの時間の所要で検査当日に必要な情報を、患者を診療する臨床医者に伝達することができないという問題点がある。
【０００５】
従来は骨髄イメージを利用しようとすれば、人が顕微鏡写真を撮らなければならないが、イメージ質が悪くて観察者が願う部位の細胞らだけ撮像するためこれだけでは診断に利用することができない。また、骨髄判読教育方法も顕微鏡観察を共にしなければならない制限が多い徒弟形式以外にはなくて、アトラスがあると言ってもいくつかの典型的な細胞形態の写真だけがあるため、実際の教育に活用するのに限界がある。このような理由で骨髄検査判読がまともにできるかを調べるための精度管理方法もないのが実情である。
【発明の概要】
【発明が解決しようとする課題】
【０００６】
本発明は、前記のような問題点を解決するために案出されたものであり、本発明の目的は、骨髄判読に利用するすべてのイメージをイメージ分析機を利用して必要な倍率で十分な数程度提供し、高配率で５００個あるいは需要者が指定する数程度骨髄細胞イメージを撮像してアルゴリズムで細胞種類別でお互いに異なるクラスで分類して提供してくれることができるようにし、このようなイメージ提供によって骨髄判読の効率性及び便利性を高めることができるようにするイメージ分析に基づいた骨髄判読支援装置を提供することにある。
【課題を解決するための手段】
【０００７】
前記目的を達成するための本発明によるイメージ分析に基づいた骨髄判読支援装置は、骨髄判読対象骨髄のイメージを撮像装置で獲得するイメージ獲得部と、獲得された骨髄イメージを、イメージプロセッシング及びソフトウェア制御によって必要イメージに生成し、既設定されたアルゴリズムによって鑑別係数に含まれる複数のクラスのうちの何れか一つのクラスに分類させる鑑別係数部と、及び必要イメージと鑑別係数部によって鑑別された結果を提供する結果提供部と、を含んでなされることを特徴とする。
【０００８】
必要イメージは、骨髄イメージ画面で周辺の他のパーティクルより大きいサイズを有した巨大パーティクルであることがある。
【０００９】
必要イメージは、巨大パーティクル及び巨大パーティクル前後の関心ゾーン内に存在する巨核細胞を含む映像であることが望ましい。
【００１０】
結果提供部は、必要イメージとその必要イメージが属するクラスに該当する鑑別係数を共に提供することが望ましい。
【００１１】
本発明は、既設定された鑑別係数によってクラス別で分類された複数の骨髄イメージが保存されているデータベース部と、をさらに含んでなされることが望ましくて、結果提供部は、鑑別係数部によって分析されたデータとデータベース部に保存されたデータを共に提供することが望ましい。
【発明の効果】
【００１２】
前述したような構成を有する本発明によるイメージ分析に基づいた骨髄判読支援装置は、ＣＴのような撮像手段によって確保されたすべての骨髄イメージを鑑別係数によって分類されたお互いに異なるクラスのうちの何れか一つのクラスに分類して提供するように構成されるものであり、顕微鏡観察をしないで骨髄判読ができるようになることによって労動力及び時間を節約することができる長所と、骨髄細胞鑑別のためのアルゴリズムが反映された鑑別係数によって骨髄イメージを判読することができるようになることによって他の専門家らと相談するか、または中央判読センターのような所で遠距離判読が可能な長所と、骨髄判読医らのための完全なイメージ構成の教育資料を提供することができる長所を有する。
【図面の簡単な説明】
【００１３】
【図１】本発明の一実施例によるイメージ分析に基づいた骨髄判読支援装置の構成を説明するための構成図である。
【図２】本発明一実施例のプロセスを順次に示した流れ図である。
【図３】本発明一実施例に採用された鑑別係数部の判読プロセスを順次に示した流れ図である。
【図４】本発明一実施例に採用されたイメージ獲得部によって得られたイメージの一例を示した図面である。
【図５】図４での巨大パーティクル周辺のイメージを拡大したように見えた写真を示した図面である。
【図６】本発明一実施例に採用された結果提供部が提供した結果の一例を示した写真を示した図面である。
【発明の実施のための形態】
【００１４】
以下、添付図面ら及び添付図面らに記載した内容らを参照して本発明の実施例を詳細に説明するが、本発明が実施例によって制限されるか、または限定されるものではない。
【００１５】
下で説明する実施例らには多様な変更が加えられることができる。下で説明する実施例らは実施形態に対して限定しようとするものではなくて、これらに対するすべての変更、均等物乃至代替物を含むことで理解されなければならない。
【００１６】
実施例で使った用語は単に特定の実施例を説明するために使用されたものであり、実施例を限定しようとする意図ではない。単数の表現は文脈上明白に異なるように志さない限り、複数の表現を含む。本明細書で、"含む"または"有する"などの用語は明細書上に記載した特徴、数字、段階、動作、構成要素、部品またはこれらを組み合わせたことが存在することを指定しようとすることであって、一つまたはその以上の他の特徴らや数字、段階、動作、構成要素、部品またはこれらを組み合わせたものなどの存在または付加可能性をあらかじめ排除しないことで理解されなければならない。
【００１７】
一方、本発明を説明するにおいて、関連される公知機能または構成に対する具体的な説明が本発明の要旨を不必要に曇ることがあると判断される場合には、その詳細な説明を略するであろう。そして、本明細書で使用される用語(terminology)らは本発明の実施例を適切に表現するために使用された用語であり、これは使用者、運用者の意図または本発明が属する分野の慣例などによって変わることがある。よって、本用語に対する定義は本明細書全般にわたった内容を土台で下ろされなければならないであろう。
【００１８】
また、実施例を説明するにおいて、関連される公知技術に対する具体的な説明が実施例の要旨を不必要に曇ることがあると判断される場合その詳細な説明を略する。
【００１９】
イメージ分析に基づいた骨髄判読支援装置
図１は、本発明の一実施例によるイメージ分析に基づいた骨髄判読支援装置の構成を説明するための構成図であり、図２は本発明一実施例の時系列的なプロセス流れを説明するための流れ図であり、図３は本発明一実施例に採用された鑑別係数部２０の判読プロセスに関する流れ図であり、図４は本発明一実施例に採用されたイメージ獲得部１０によって得られたイメージの一例を示した図面であり、図５は図４での巨大パーティクル周辺のイメージを拡大したように見えた写真であり、図６は本発明一実施例に採用された結果提供部３０が提供した結果の一例を示した写真である。
【００２０】
図１及び図２に示されたように、本発明の一実施例によるイメージ分析に基づいた骨髄判読支援装置は、イメージ獲得部１０と鑑別係数部２０と結果提供部３０を含んでなされる。
【００２１】
イメージ獲得部１０は、医者が骨髄判読に利用するすべてのイメージを撮像して提供するように、ＣＴのような撮像手段を利用して図４及び図５のような骨髄細胞のイメージを獲得(Ｓ１)する役割をする。
【００２２】
鑑別係数部２０は、図４及び図５のように獲得された骨髄イメージをイメージプロセッシング及びソフトウェア制御による必要イメージで生成(Ｓ２)し、既設定されたアルゴリズムによって鑑別係数に含まれる複数のクラスのうちの何れか一つのクラスに分類(Ｓ３)させる。
【００２３】
必要イメージは、例えば全体骨髄イメージ画面で周辺の他の部位より大きいサイズを有した巨大パーティクルであるものであり、本実施例は指定された数程度巨大パーティクルである必要イメージを撮像して提供する。
【００２４】
本実施例は、巨大パーティクル前後の関心ゾーン内に存在する細胞らを巨大パーティクルと共に必要イメージで生成し、その生成された必要イメージを指定された数程度提供するように構成された。すなわち、巨核細胞判断のためにパーティクルの前方へ十分な大きさを指定して撮像して指定された数程度提供し、その巨核細胞をソフトウェアで検出してその高配率映像を撮像して提供する。
【００２５】
骨髄細胞鑑別係数は細胞らがよく塗抹された部位で獲得した高配率細胞映像を利用して細胞分類アルゴリズムによって設定された係数であることで、結果提供部３０は必要イメージと共に鑑別係数を提供する(Ｓ４)。
【００２６】
例えば、結果提供部３０は、判読対象骨髄が置かれたスライドが基本骨髄染め付け以外の特殊染め付け塗抹スライドである場合に、パーティクル映像、関心ゾーン映像及び高配率細胞映像を指定された数程度提供できるように構成されることができる。そして、すべての提供イメージ数は需要者が設定できるようにする。骨髄組織切片は一般染め付け、免疫染め付け、特殊染め付けすべてで全体イメージを提供して需要者がクリックして所望の程度拡大して観察できるように提供する。
【００２７】
ここで、鑑別係数は多様な方法で設定されることができるが、骨髄の特徴的な要素を考慮して設定されることが望ましい。例えば、鑑別係数は、骨髄のうちで相対的に粒子が大きいパーティクルの前と後の隣接した部位で末梢血液汚染が最も少なくて骨髄の所見を最もよく現わす部位を基準にして設定されることが望ましい。
【００２８】
したがって、本実施例に採用された鑑別係数部２０は、図３によく示されたように、骨髄イメージ画面で周辺の他のパーティクルより大きいサイズを有した巨大パーティクルの大きさ、模様及び巨大パーティクル前後の関心ゾーン内に存在する巨核細胞(megakaryocyte)の大きさ、模様によって設定された鑑別係数に基礎して骨髄イメージをお互いに異なるクラスで分類するようになる。
【００２９】
結果提供部３０は、図６によく示されたように、必要イメージと鑑別係数部２０によって鑑別された結果を共に提供してくれる役割をする。
【００３０】
このような構成を有する本発明の一実施例によるイメージ分析に基づいた骨髄判読支援装置は、ＣＴのような撮像手段によって確保されたすべての骨髄イメージを鑑別係数によって分類されたお互いに異なるクラスのうちの何れか一つのクラスに分類して提供するように構成されることで、顕微鏡観察をしないで骨髄判読ができるようになることによって労動力及び時間を節約することができる長所と、骨髄細胞鑑別のためのアルゴリズムが反映された鑑別係数によって骨髄イメージを判読することができるようになることによって他の専門家らと相談するか、または中央判読センターのような所で遠距離判読が可能な長所と、骨髄判読医らのための完全なイメージ構成の教育資料を提供することができる長所を提供する。
【００３１】
以上本発明の多様な実施例に対して説明したが、本実施例及び本明細書に添付された図面は本発明に含まれる技術的思想の一部を明確に示していることに過ぎなくて、本発明の明細書及び図面に含まれた技術的思想の範囲内で当業者が容易に類推することができる変形例と具体的な実施例はすべて本発明の権利範囲に含まれることが自明であると言えるであろう。
【産業上利用可能性】
【００３２】
本発明の一実施例によると、既設定された鑑別係数によってクラス別で分類された複数の骨髄イメージが保存されているデータベース部４０をさらに含んでなされて、結果提供部３０は、鑑別係数部２０によって分析されたデータとデータベース部４０に保存されたデータを共に提供するように構成されることで、使用者が実際判読された骨髄イメージとデータベース化された骨髄イメージを比較分析することができてより精緻な骨髄判読ができるようにする効果を有する。
【符号の説明】
【００３３】
１０  イメージ獲得部
２０  鑑別係数部
３０  結果提供部
４０  データベース部
【図１】
2021532856.tif 000003
【図２】
2021532856.tif 000004
【図３】
2021532856.tif 000005
【図４】
2021532856.tif 000006
【図５】
2021532856.tif 000007
【図６】
2021532856.tif 000008
【国際調査報告】
2021532856.tif 000009
2021532856.tif 000010
2021532856.tif 000011
2021532856.tif 000012